(57)【要約】      （修正有）【課題】自動回転及び自動風供給の機能を有し、旗の巻きつきを回避し、簡便に操作できる自動回転可能なスマート旗竿を提供する。【解決手段】旗竿本体１０と旗竿ベース２２を備え、旗竿本体１０がシャーシ４に取り付けられ、シャーシ４が旗竿ベース２２の内部に設けられた自動回転可能なスマート旗竿において、支持枠２１、回動駆動モータ３、駆動歯車１及び従動歯車２を備える自動回転装置をさらに備え、支持枠２１が旗竿ベース２２の内部に固定されたリング形構造であり、リングの内側には円状シュートが設けられ、シャーシ４の底部には摺動部が周設され、摺動部が支持枠２１のシュートに設けられ、従動歯車２がシャーシ４の側壁の底部に周設され、駆動歯車１が回動駆動モータ３により駆動され、駆動歯車１が従動歯車２と互いに噛み合う。【選択図】図１
0003233542.tif 000002
【実用新案登録請求の範囲】
【請求項１】
旗竿本体（１０）と旗竿ベース（２２）を備え、前記旗竿本体（１０）がシャーシ（４）
に設けられ、前記シャーシ（４）が旗竿ベース（２２）の内部に設けられる自動回転可能
なスマート旗竿であって、
支持枠（２１）、回動駆動モータ（３）、駆動歯車（１）、及び従動歯車（２）を備える
自動回転装置をさらに備え、前記支持枠（２１）が前記旗竿ベース（２２）の内部に固定
されたリング形構造であり、リングの内側には円状シュートが設けられ、前記シャーシ（
４）の底部には摺動部が周設され、前記シャーシ（４）の摺動部が前記支持枠（２１）の
シュートに設けられ、前記従動歯車（２）が前記シャーシ（４）の側壁の底部に周設され
、前記駆動歯車（１）が前記回動駆動モータ（３）により駆動され、前記駆動歯車（１）
が前記従動歯車（２）と互いに噛み合う、ことを特徴とする自動回転可能なスマート旗竿
。
【請求項２】
スマート制御システムをさらに備え、
前記旗竿本体（１０）のトップにはウィンドベーン（１１）が設けられ、前記ウィンドベ
ーン（１１）が前記スマート制御システムの信号入力ポートに連通し、前記スマート制御
システムの信号出力ポートが前記回動駆動モータ（３）に連通する、ことを特徴とする請
求項１に記載の自動回転可能なスマート旗竿。
【請求項３】
前記スマート制御システムは、ウィンドベーンにより測定された風向と旗の現在の角度と
の差から前記回動駆動モータ（３）へ送信するパルス数を下記式により計算する、ことを
特徴とする請求項２に記載の自動回転可能なスマート旗竿。
0003233542.tif 000005
（式中、Ｐは必要なパルス数であり、βは予め記憶された現在の角度の値と受信した方向
とから算出された角度の差であり、ｎは、正転の場合１、反転の場合０を取り、Ｚ２はス
マート制御システムに予め記憶されていた従動歯車２の歯数であり、Ｚ１はスマート制御
システムに予め記憶されていた駆動歯車１の歯数であり、２５００はステッピングモータ
のコイル数である。）
【請求項４】
送風機（１９）、気流噴射管（５）及び吹き出しシリンダ（１４）を備える送風装置をさ
らに備え、前記旗竿本体（１０）において気流噴射孔（３０）が縦方向に沿って設けられ
、
前記送風機（１９）が前記旗竿ベース（２２）の内部に設けられ、前記気流噴射管（５）
が前記旗竿本体（１０）を貫通しており、前記送風機（１９）が気流噴射管（５）を介し
て前記吹き出しシリンダ（１４）に連通し、前記吹き出しシリンダ（１４）が旗の縦縁部
（２９）に設けられ、前記吹き出しシリンダ（１４）の吹き出し口が前記旗竿本体（１０
）の気流噴射孔（３０）に沿って上下動する、ことを特徴とする請求項１に記載の自動回
転可能なスマート旗竿。
【請求項５】
前記送風装置はスマート制御システムをさらに備え、前記旗竿本体（１０）のトップには
風速計（１２）が設けられ、前記風速計（１２）が前記スマート制御システムの信号入力
ポートに連通し、前記スマート制御システムの信号出力ポートが送風機（１９）に連通す
る、ことを特徴とする請求項４に記載の自動回転可能なスマート旗竿。
【請求項６】
前記スマート制御システムはアネモメータにより測定された風速と旗を正常にはためかせ
るのに必要な気体流量とから送風機（１９）の回転数をＮ＝Ｋ＊Ｓ＊Ｖ＊［Ｑ］により計
算することを特徴とする請求項５に記載の自動回転可能なスマート旗竿。
Ｎ＝Ｋ＊Ｓ＊Ｖ＊［Ｑ］
（式中、Ｎは送風機の回転数であり、Ｋは気体の絶対圧で換算した係数であり、Ｓは旗で
の吹き出し口の断面積であり、スマートシステムに予め記憶されていた値であり、［Ｖ］
はアネモメータにより測定された風速と旗を正常にはためかせるのに必要な風速との差で
あり、［Ｑ］は、ファンメーカによる流量、圧力差及び回転数の関係のデータ表である。
）
【請求項７】
前記旗竿本体（１０）には、旗に対応する側にはウェイト（１７）がさらに配置されてい
る、ことを特徴とする請求項４に記載の自動回転可能なスマート旗竿。
【請求項８】
前記旗竿本体（１０）は上下多段伸縮旗竿であり、電動油圧ポンプ（１５）により駆動さ
れる、ことを特徴とする請求項１に記載の自動回転可能なスマート旗竿。
【請求項９】
前記スマート制御システムには、音楽・ライト制御盤がさらに設けられる、ことを特徴と
する請求項２又は５のいずれかに記載の自動回転可能なスマート旗竿。
【請求項１０】
旗竿本体（１０）の頂端の半球状受け部内には、高性能ＬＥＤライド及び高解像度カメラ
（１３）が設けられている、ことを特徴とする請求項１に記載の自動回転可能なスマート
旗竿。
【考案の詳細な説明】
【技術分野】
【０００１】
本考案はスマート旗竿に関し、具体的には、自動回転可能なスマート旗竿に関する。
【背景技術】
【０００２】
昔から今に至るまで、旗は常に民衆集団の結束力と求心力を示すものであり、今の時代で
は、平和は時代の発展のテーマになっており、各国や各級部門から、小中学校や様々な大
運働会などに至るまで、旗を掲揚したり、旗を降ろしたりする儀式は人々の活働に不可欠
な内容になっており、旗竿は旗をはためかせるために不可欠なものである。通常、旗を掲
揚したり、旗を降ろしたり、一定の高さに維持したりすることができる。しかし、自然風
などの気象条件が満たさないため、旗を展張させてはためかせることができない場合が多
く、特に旗竿の中下の部分では、旗を展張させてはためかせることは極めて少なく、旗が
上がったり、下がったり、設定された高さになったりすると、自然の風向きが絶えずに変
わるため、旗が旗竿に巻きついて、展張させてはためかせることができないという好まし
くない現象がよくあり、風がなく又は微風しかない場合、旗をうまく展張させてはためか
せることができず、もし重大なイベントでは、このような状况が発生すると、とても遺憾
なことになり、多くの人はこのことを認めて、改善を期待している。
【考案の概要】
【考案が解決しようとする課題】
【０００３】
本考案の目的は、従来技術の欠陥に対して、風向に対応でき、旗の巻き付きを回避できる
自動回転可能なスマート旗竿を提供する。
【課題を解決するための手段】
【０００４】
技術案は以下のとおりである。本考案の前記自動回転可能なスマート旗竿は、旗竿本体と
旗竿ベースを備え、前記旗竿本体がシャーシに設けられ、前記シャーシが旗竿ベースの内
部に設けられ、
支持枠、回動駆動モータ、駆動歯車、及び従動歯車を備える自動回転装置をさらに備え、
前記支持枠が前記旗竿ベースの内部に固定されたリング形構造であり、リングの内側には
円状シュートが設けられ、前記シャーシの底部には摺動部が周設され、前記シャーシの摺
動部が前記支持枠のシュートに設けられ、前記従動歯車が前記シャーシの側壁の底部に周
設され、前記駆動歯車が前記回動駆動モータにより駆動され、前記駆動歯車が前記従動歯
車と互いに噛み合う。
【０００５】
本考案の技術案は、スマート制御システムをさらに備え、前記旗竿本体のトップにはウィ
ンドベーンが設けられ、前記ウィンドベーンが前記スマート制御システムの信号入力ポー
トに連通し、前記スマート制御システムの信号出力ポートが前記回動駆動モータに連通す
るようにさらに限定されている。
【０００６】
さらに、前記スマート制御システムは、ウィンドベーンにより測定された風向と旗の現在
の角度との差から前記回動駆動モータへ送信するパルス数を下記式により計算する。
0003233542.tif 000003
（式中、Ｐは必要なパルス数であり、βは予め記憶された現在の角度の値と受信した方向
とから算出された角度の差であり、ｎは、正転の場合１、反転の場合０を取り、Ｚ２はス
マート制御システムに予め記憶されていた従動歯車２の歯数であり、Ｚ１はスマート制御
システムに予め記憶されていた駆動歯車１の歯数であり、２５００はステッピングモータ
のコイル数である。）
【０００７】
さらに、送風機、気流噴射管及び吹き出しシリンダを備える送風装置をさらに備え、前記
旗竿本体において気流噴射孔が縦方向に沿って設けられ、前記送風機が前記旗竿ベースの
内部に設けられ、前記気流噴射管が前記旗竿本体を貫通しており、前記送風機が気流噴射
管を介して前記吹き出しシリンダに連通し、前記吹き出しシリンダが旗の縦縁部に設けら
れ、前記吹き出しシリンダの吹き出し口が前記旗竿本体の気流噴射孔に沿って上下動する
。
【０００８】
さらに、前記送風装置はスマート制御システムをさらに備え、前記旗竿本体のトップには
風速計が設けられ、前記風速計が前記スマート制御システムの信号入力ポートに連通し、
前記スマート制御システムの信号出力ポートが送風機に連通する。
【０００９】
さらに、前記スマート制御システムはアネモメータにより測定された風速と旗を正常には
ためかせるのに必要な気体流量とから送風機の回転数をＮ＝Ｋ＊Ｓ＊Ｖ＊［Ｑ］により計
算する。
Ｎ＝Ｋ＊Ｓ＊Ｖ＊［Ｑ］
（式中、Ｎは送風機の回転数であり、Ｋは気体の絶対圧で換算した係数であり、Ｓは旗で
の吹き出し口の断面積であり、スマートシステムに予め記憶されていた値であり、［Ｖ］
はアネモメータにより測定された風速と旗を正常にはためかせるのに必要な風速との差で
あり、［Ｑ］は、ファンメーカによる流量、圧力差及び回転数の関係のデータ表である。
）
【００１０】
さらに、前記旗竿本体には、旗に対応する側にはウェイトがさらに配置されている。
【００１１】
さらに、前記旗竿本体は上下多段伸縮旗竿であり、電動油圧ポンプにより駆動される。
【００１２】
さらに、前記スマート制御システムには、音楽・ライト制御盤がさらに設けられる。
【００１３】
さらに、旗竿本体の頂端の半球状受け部内には、高性能ＬＥＤライド及び高解像度カメラ
が設けられている。
【考案の効果】
【００１４】
有益な効果は以下のとおりである。本考案に係るスマート旗竿は、自動回転及び自動風供
給の機能を有し、旗の巻き付きを回避でき、適応性が高く、簡便に操作できる。本考案の
旗は常に風向に向かい、内部気流による補償作用により一定の風力を受けた状態に維持さ
れて風にはためくことができ、旗を掲げたり落としたり、一定の高さに維持したりする場
合、旗は常にひらひらとはためき、旗は、団体の精、気、神を示すものであり、巨大な栄
光や夸りを具現しており、人々に感動や冲撃感を感じさせ、国旗や大運動会の旗が掲揚さ
れた場合には、優れた効果をもたらすことができる。
【図面の簡単な説明】
【００１５】
【図１】本考案に係るスマート旗竿の構造模式図である。
【図２】本考案に係る吹き出し口の構造模式図である。
【考案を実施するための形態】
【００１６】
以下、図面を参照しながら本考案の技術案を詳細に説明するが、本考案の特許範囲は前記
実施例に制限されない。
【００１７】
実施例１
本考案は、スマート旗竿を提供し、図１に示すその構造模式図のように、旗竿本体１０を
備え、前記旗竿本体１０がシャーシ４に取り付けられ、而前記シャーシ４が旗竿ベース２
２の内部に設けられ、ベース２２がウェイト式ベースである。
【００１８】
旗竿の昇降装置は旗竿本体１０の頂端に設けられる上定滑車と、ベース２２の内部に設け
られた下定滑車１７及び動力モータ１８とを備え、牽引ロープ１５は旗に固定された後、
上定滑車及び下定滑車１７を通過し、最後に動力モータ１８の一端に固定され、動力モー
タ１８の動力を受けて、収縮したり展張したりし、それによって旗を昇降する。基部ステ
ップ、基部カバー、基部手摺、基部フェンスが配置されている。
【００１９】
上記旗竿構造は、従来の旗竿の基本構造であり、本考案は、これに基づいて、下記装置を
増設している。
【００２０】
１、旗竿自動回動装置
従来の旗竿の使用過程には、風向が変わるので、旗は、風にはためくときに旗竿に巻き付
いて、風にはためけないことはよくある。したがって、本願は、シャーシ４にスマート制
御システム及び回動機構が設けられている。
【００２１】
前記回動機構は、支持枠２１、回動駆動モータ３、駆動歯車１、及び従動歯車２を備える
。前記支持枠２１は、前記旗竿ベース２２の内部に固定されたリング形構造であり、リン
グの内側には円状シュートが設けられ、前記シャーシ４の底部には摺動部が周設され、前
記シャーシ４の摺動部が前記支持枠２１のシュートに設けられる。前記従動歯車２が前記
シャーシ４の側壁の底部に周設され、前記駆動歯車１が前記回動駆動モータ３により駆動
され、前記駆動歯車１が前記従動歯車２と互いに噛み合う。
【００２２】
下記回動機構によって、駆動モータ３は、駆動歯車１を回動駆動すると、従動歯車２を回
動させ、それにより、前記シャーシ４の摺動部が前記支持枠２１のシュートに沿って摺動
し、シャーシ４が回動し始め、旗竿本体１０を回動させる。ただし、シャーシ４の回動に
おけるねじり力が大きく、旗竿本体１０が長いため、回動過程において、シャーシ４が大
きな抵抗力を受け、したがって、前記旗竿本体１０と前記シャーシ４との接続部には、互
いに連携するスラストボールベアリング６と深溝ボールベアリング７が設けられて、支持
及び制限の作用を果たしながら、径方向の力を受けて、案内の作用を果たす。旗竿本体１
０の安定性を確保するために、旗竿本体１０の底部にはドラム状の旗竿保持枠８が外嵌さ
れており、前述の旗竿保持架８の頂端には凹溝付き深溝ボールベアリング９が設けられて
、旗竿本体１０をスムーズに回転可能とする。
【００２３】
さらに、本考案は、スマート制御システムをさらに備え、前記旗竿本体１０のトップには
ウィンドベーン１１が設けられ、ウィンドベーン１１が本考案のスマート制御システムの
信号入力ポートに連通し、スマート制御システムには旗の現在の角度の値が予め記憶され
ており、ウィンドベーン１１は、風向を測定して、風向をスマート制御システムに伝送し
、スマート制御システムは、風向及び現在の旗竿の方向から、必要な回転角度を算出し、
パルス数を算出し、パルス信号を駆動モータ３に送信し、駆動モータ３を回転させる。ウ
ィンドベーンにより測定された風向と旗の現在の角度との差から風向モータのパルス数を
下記式により計算する。
0003233542.tif 000004
（式中、Ｐは必要なパルス数であり、βは予め記憶された現在の角度の値と受信した方向
とから算出された角度の差であり、ｎは、正転の場合１、反転の場合０を取り、Ｚ２はス
マート制御システムに予め記憶されていた従動歯車２の歯数であり、Ｚ１はスマート制御
システムに予め記憶されていた駆動歯車１の歯数であり、２５００はステッピングモータ
のコイル数である。）
【００２４】
２、旗竿送風装置
従来の旗竿では、旗を掲げたり、降ろしたり、一定の高さに維持したりするときに、旗は
自然風のみにはたかき、自然風がない、又は自然風が不十分である場合、旗は静止状態で
、動けなくなり、自動制御スマートシステムがないため、旗が風に吹かれて靡けなくなる
場合が多い。
【００２５】
本考案では、旗竿本体１０のトップには風速計１２が設けられ、風速計１２は現場での自
然風の風力の大きさを取得し、風力をスマート制御システムに伝動し、システムは所定量
と比較して、旗に補充すべき気流の大きさを算出する。
【００２６】
送風装置の機械部分は送風機１９、気流噴射管５、及び吹き出しシリンダ１４を備え、前
記旗竿本体１０において、気流噴射孔３０が縦方向に沿って設けられ、送風機１９はスマ
ート制御システムにより制御され、吸い込み口１６を介して空気を吸い込んで、気流噴射
管５を介して吹き出しシリンダ１４に送り、吹き出しシリンダ１４は前記旗の縦縁部２９
に設けられ、前記吹き出しシリンダ１４の吹き出し口が前記旗竿本体１０の気流噴射孔３
０に沿って上下動する。送風機１９は動作周波数を調整することで吹き出し量を変える可
変周波数送風機である。
【００２７】
アネモメータにより測定された風速と旗を正常にはためかせるのに必要な気体の流量とか
ら送風機の回転数をＮ＝Ｋ＊Ｓ＊Ｖ＊［Ｑ］により計算する。
Ｎ＝Ｋ＊Ｓ＊Ｖ＊［Ｑ］
（式中、Ｎは送風機の回転数であり、Ｋは気体の絶対圧で換算した係数であり、Ｓは旗で
の吹き出し口の断面積であり、スマートシステムに予め記憶されていた値であり、［Ｖ］
はアネモメータにより測定された風速と旗を正常にはためかせるのに必要な風速との差で
あり、［Ｑ］は、ファンメーカによる流量、圧力差及び回転数の関係のデータ表である。
）
【００２８】
気流噴射管５は旗竿本体１０の内部に挿入され、排気口が前記吹き出しシリンダ１４に連
通している。旗竿本体１０には案内溝が開けられ、吹き出しシリンダ１４の排気口２４が
前記案内溝の方向に設けられ、旗の固定リブ２３に設けられ、このように、吹き出された
気流が旗の表面に作用する。また、吹き出しシリンダ１４は旗と同一の牽引ロープ１５で
牽引されて、旗と同期して掲げられたり降ろされたりし、このように、気流が常に旗に作
用する。牽引ロープモータは旗竿の回動シャーシに固定されて、シャーシ一とともに回動
し、牽引ロープが正しく上がったり下がったりすることを確保し、送風管はシャーシに規
則的に巻かれている。
【００２９】
送風装置の吹き出し口の構造模式図は図２に示され、旗には、縦縁部２９が固定され、旗
には、牽引ロープに接続されたリブが設けられ、重力による牽引ロープモータへの負荷を
低減させるためにウェイトが設けられ、半ラッパ状の気流噴射孔３０及び３１が周設され
、牽引ロープの案内孔３２及びワイヤ配線孔３３は旗の固定に用いられ得る。
【００３０】
旗を正しく掲げたり、降ろしたり、所望の高さに維持したりするときの作動安定性を確保
するために、旗竿の内部に吹き出し口の材質ど同質量のウェイト１７が配置されてもよい
。
【００３１】
３、油圧伸縮旗竿
旗竿本体１０は、上下多段伸縮旗竿であり、電動油圧ポンプ１５により駆動されて、旗を
掲げたり降ろしたりしようとするときに上下動する。
【００３２】
４、音楽ライブラリ
システムには、世界の各国の国歌、有名な歌や運動会の会歌などを記憶した音楽ライブラ
リがインストールされた音楽・ライト制御盤が取り付けられ、また、ハイパワーオーディ
オ再生システムが取り付けられ、頂端の高性能ＬＥＤライト及び高解像度カメラは、照明
補助及び監視、映像撮影などを行い、リモート制御、自動制御、記憶、旗を降ろした後又
は夜１２時に旗竿を自動的に復位させるという機能を有し、システム全体には、耐熱、耐
寒、防凍設備が設けられ、ハードウェアに対応するソフトウェアは全体として独立して研
究開発される。
【００３３】
５、撮像機能
旗竿本体１０の頂端の半球状受け部には、撮像用の高性能ＬＥＤライド及び高解像度カメ
ラ１３が設けられている。
【００３４】
上記技術案によれば、旗は常に風に靡いて、内部気流による補償作用により一定の風力を
受けた状態に維持されて風にはためき、旗を掲げたり、降ろしたり、一定の高さに維持し
たりする場合、旗は常にひくひくとはためき、旗は、団体の精、気、神を示すものであり
、巨大な栄光や夸りを具現しており、人々に感動や冲撃感を感じさせ、国旗や大運動会の
旗が掲揚された場合には、優れた効果をもたらすことができる。
【００３５】
また、極めて寒いか暑いような極端な気候に対応できるように、旗竿ベース内には温度制
御システムが設けられている。
【００３６】
前記のように特定の好適な実施例を参照して本考案を例示的に説明したが、本考案自体を
制限するとして解釈できない。添付の特許請求の範囲により定められた本考案の精神及び
範囲を逸脱することなく、形態や詳細についてさまざまな変化を加えることができる。
【図１】
0003233542.tif 000006
【図２】
0003233542.tif 000007